(57)【要約】      （修正有）【課題】ベースに対する脱着が不要で、石膏ボードなどの被切断材を高さ方向（長さ方向）などに切断するとき、少なくとも使用頻度が高い２種類の切断幅に即座に対応させることができる電動マルノコ用定規を提供する。【解決手段】被切断材Ｗの側縁６から切断幅にて被切断材Ｗを引き割り切断するときに、被切断材Ｗの側縁６に当てられて、該側縁６に沿わせて電動マルノコＢを平行に案内する定規本体Ａは、被切断材Ｗの切断方向Ｚに長く、所定の幅と厚さを有する一対の帯状部材１，２を、互いに幅方向にずらした状態でその幅方向一側の縁部側を重合させた形状としている。そして一対の帯状部材１，２の幅方向一側のそれぞれの縁部側を、電動マルノコＢのベース縁３がそれぞれ当てられるベース縁当接部４，５とし、幅方向他側のそれぞれの縁部側を、被切断材Ｗの側縁６にそれぞれ摺接動自在に当てられる材料側縁当接部７，８としている。【選択図】図３
0003148856.tif 000002
【実用新案登録請求の範囲】
【請求項１】
被切断材の側縁からの切断幅にて該被切断材を切断するときに、前記側縁に当てられて、該側縁に沿わせて電動マルノコを平行に案内する電動マルノコ用定規であって、
定規本体は、前記被切断材の切断方向に長く、所定の幅と厚さを有する一対の帯状部材を、互いに幅方向にずらした状態でその幅方向一側の縁部側を重合させた形状と成し、
前記一対の帯状部材の幅方向一側のそれぞれの縁部を、前記被切断物を切断するときに、前記電動マルノコのベース縁がそれぞれ当てられるベース縁当接部とし、幅方向他側のそれぞれの縁部を、前記被切断材の側縁にそれぞれ摺接動自在に当てられる材料側縁当接部としていることを特徴とする電動マルノコ用定規。
【請求項２】
前記一対の帯状部材は、一体に形成されていることを特徴とする請求項１に記載の電動マルノコ用定規。
【請求項３】
前記一対の帯状部材は、別体に形成されて重合する幅方向一側の重合部に、その重合範囲を可変するための重合幅変更手段を備えていることを特徴とする請求項１に記載の電動マルノコ用定規。
【請求項４】
前記重合幅変更手段は、前記一対の帯状部材のうち、いずれか一方の帯状部材側に設けられる幅方向に長い長孔と、
この長孔側から他方の帯状部材側に設けられているネジ孔にねじ込まれて、前記一対の帯状部材の重合部を締結させるネジ部材と、から構成されていることを特徴とする請求項３に記載の電動マルノコ用定規。
【考案の詳細な説明】
【技術分野】
【０００１】
本考案は、石膏ボードや合板などの被切断材を、被切断材の側縁に沿って平行に切断するときに用いられる電動マルノコ用定規に関する。
【背景技術】
【０００２】
住宅などの建築現場において石膏ボードなどの被切断材を切断する場合、手持ち式の電動工具、電動マルノコが一般に使われている。
電動マルノコは、切断方向に長い略矩形形状でノコ刃の一部を下面から突出させるベースを備え、このベースの上に電動モータ、電動モータの作動ＯＮ／ＯＦＦスイッチを備える把持部などが取り付けられて構成されている。そして、切断作業を行うときには、把持部を掴み、ベースを被切断材の表面に押し付けてベースを滑らせるように移動させながら行うものである。
また、電動マルノコは、被切断材の側縁に沿って、該側縁から数十ｍｍから数十ｃｍの切断幅で側縁に沿わせて平行に切断するときに、電動マルノコを平行に移動案内するための案内具としての平行定規を備えている。
この平行定規は、ベースの長辺部と直交する関係でベースに移動自在に取り付けられる目盛りが施されている支持杆部と、この支持杆部の先端に略Ｔ字状に取り付けられる縁当て部とから形成されている。支持杆部は蝶ネジなどの摘みネジによって、ベースに移動不動に定着されるようになっている。
これにより、石膏ボードなどの被切断材を、その側縁から所定の切断幅で、側縁と平行に切断するときには、摘みネジを緩め、目盛りにて支持杆部を移動させて、ベースの下面から突出するノコ刃と縁当て部との離間寸法を前記の切断幅にセットし、摘みネジで支持杆部を移動不動に定着させることで、電動マルノコを被切断材の側縁に沿わせて平行に案内することができる。つまり、セットされた側縁からの切断幅で被切断材を切断開始点から切断終了点まで平行に切断することができるようにしている（例えば、特許文献１などを参照）。
【０００３】
このように、電動マルノコに備えられている平行定規は、新築やリフォームなどの内装工事において、例えば、構造壁部の柱、この柱間の間柱になどにネジ止めや釘止めなどによって取り付けられる幅が９１０ｍｍで、高さ（長さ）が１８２０ｍｍの石膏ボードなどの被切断材の幅を、９１０ｍｍから８５７ｍｍに切断するときに、被切断材の側縁（長辺側縁）に当てる縁当て部とノコ刃との離間寸法を、５３ｍｍの切断幅に調整することで、長辺側縁から５３ｍｍの切断幅で電動マルノコを切断開始点から切断終了点まで平行に移動させることができために、このような引き割り切断を容易に行うことができ、必要不可欠なものである。
【０００４】
ところで、新築やリフォームのときの内装工事において、構造壁部の内側を構築するために一般的に用いられている石膏ボードなどの被切断材を、側縁に沿って平行に引き割り切断（引き離し切断）するときの切断幅は、使用頻度がもっとも高い２種類の寸法とされている。
例えば、図４に示す間取り説明図を参照して説明すると、石膏ボードなどの被切断材Ｗが並設して取り付けられる壁面のａ点からｉ点において、ｂ点からｅ点、そしてｇ点からｉ点は、幅が９１０ｍｍの被切断部材Ｗを引き割り切断することなく取り付けることができるものの、コーナー２ヶ所において１０５ｍｍ角の柱Ｃが立てられているａ点の被切断部材Ｗは、側縁６から５３ｍｍの切断幅Ｌ１で切り割り切断が必要となり、また、１２０ｍｍ角の柱Ｄが立てられているｆ点の被切断材Ｗは、側縁６から６５ｍｍの切断幅Ｌ２で切り割り切断が必要となり、この５３ｍｍと６５ｍｍが、壁部の内側を構築する内装工事において、石膏ボードなどの被切断材Ｗを高さ方向（長さ方向）に切り割り切断するときに頻繁に使われる切断幅Ｌ１，Ｌ２とされている。
【特許文献１】特開２００８−３０３３９号公報（段落番号０００３〜０００５、００１８〜００２０、および図５、図７参照）
【考案の開示】
【考案が解決しようとする課題】
【０００５】
ところで、平行定規を備えている電動マルノコは、段積みされている数十枚の石膏ボードなど被切断材を上から一枚ずつ順番に所定の切断幅で引き割り切断（引き離し切断）する作業を連続して行う上では必要不可欠ではあるが、前記した２種類の切断幅Ｌ１，Ｌ２を変えながら引き割り切断を行うときは支持杆部をベースにネジ止め定着している摘みネジを緩める、締め付けることが不可欠となり、時間が掛かるものであった。
特に、摘みネジを締め付けるときには、支持杆部に備えられている切断幅の目盛りに位置合わせを行いながら、なおかつ、縁当て部がノコ刃と平行になるように注意を払いながら行なう必要があり、時間が掛かるものとなっていた。
また、平行定規を使わずに石膏ボードなどを切断するとき、例えば、平行定規の支持杆部の長さを越えた切断幅で石膏ボードなどの高さ方向を切断するときや、幅方向に切断するときなどには平行定規をベースから取り外す必要があるが、その度に摘みネジを緩めて支持杆部をベースから引き抜かなければならず、面倒な脱着操作が余儀なくされていた。
また、石膏ボードを切断するときには大量の粉塵が発生し飛散するなどから、粉塵が摘みネジや支持杆部の上などに集積し、これにより、引き割り切断のときの切断幅の変更などにおいて、摘みネジを緩める、締め付けるときにその変更調整時間をさらに長引かせる要因になるなど切断幅を変える、平行定規の脱着を行うことが大変面倒で手間の掛かるものになっていた。
【０００６】
そこで、本考案は、前記の課題を解消するために創案されたものであり、電動マルノコのベースに対する脱着が不要で、石膏ボードなどの被切断材を高さ方向（長さ方向）などに引き割り切断するときに、この引き割り切断において、特に、使用頻度がもっとも高い２種類の切断幅に即座に対応させることができるように改良された電動マルノコ用定規を提供することにある。
【課題を解決するための手段】
【０００７】
前記課題を解決するために、本考案では、被切断材の側縁からの所定の切断幅にて該被切断材を切断するときに、前記側縁に当てられて、該側縁に沿わせて電動マルノコを平行に案内する電動マルノコ用定規であって、
定規本体は、前記被切断材の切断方向に長く、所定の幅と厚さを有する一対の帯状部材を、互いに幅方向にずらした状態でその幅方向一側の縁部側同士を重合させた形状と成し、前記一対の帯状部材の幅方向一側のそれぞれの縁部を、前記被切断物を切断するときに、前記電動マルノコのベース縁がそれぞれ当てられるベース縁当接部とし、幅方向他側のそれぞれの縁部を、前記被切断材の側縁にそれぞれ摺接動自在に当てられる材料側縁当接部としていることを特徴とする。
ここで、前記一対の帯状部材の前記長さは、前記電動マルノコのベースの長辺方向の長さと同じか、それよりも長く、前記幅は、前記一対の帯状部材側にそれぞれ設定される前記切断幅に合わせて、前記厚さは、切断する石膏ボードなどの被切断材の厚さよりも薄く設定することが好適なものとなる。
そして、前記一対の帯状部材のうち、一方の帯状部材の材料縁当接部を被切断材の側縁に当てた状態で定規本体を使用する場合に、他方の帯状部材のベース縁当接部に電動マルノコのベース縁が当てられる使用形態となり、そして、他方の帯状部材の材料縁当接部を被切断材の側縁に当てた状態で定規本体を使用する場合には、一方の帯状部材のベース縁当接部に電動マルノコのベース縁が当てられる使用形態となる。
つまり、一方の帯状部材側の材料縁当接部を被切断材の側縁に当てた状態で定規本体を使用する場合は、使用頻繁が高い２種類の切断幅のうち、一方の切断幅で石膏ボードなどの被切断材を引き割り切断することができるように、そして、他方の帯状部材側の材料縁当接部を被切断材の側縁に当てた状態で定規本体を使用する場合は、もう一方の切断幅にて石膏ボードなどの被切断材を引き割り切断することができるように、一対の帯状部材の幅をそれぞれ設定し、互いに幅方向にずらして重合させる。
これにより、前記の背景技術の欄で詳述したように、例えば、幅が９１０ｍｍで、高さ（長さ）が１８２０ｍｍの石膏ボードの幅を、９１０ｍｍから８５７ｍｍに切り割り切断するときに、電動マルノコのベース縁を他方の帯状部材のベース縁当接部に当てることで、電動マルノコのノコ刃を、石膏ボードの長辺側縁から５３ｍｍの切断幅にて長辺側辺の内側に位置させることができる。
【０００８】
また、本考案では、前記一対の帯状部材が、一体に形成されていることを特徴としている。これにより、定規本体を合成樹脂材や金属材など押出し成形材料を用いて、例えば、アルミサッシ窓枠のような型材などのように長尺に成形した後で、電動マルノコのベースの長辺方向の長さよりも長めの必要とする長さにさい断することで、製作することができる。
【０００９】
また、本考案では、前記一対の帯状部材が別体に形成されて重合する幅方向一側の重合部に、その重合範囲を可変するための重合幅変更手段を備えていることを特徴としている。この場合、前記重合幅変更手段が、前記重合幅変更手段は、前記一対の帯状部材のうち、いずれか一方の帯状部材側に設けられる幅方向に長い長孔と、この長孔側から挿通されて他方の帯状部材側に設けられているネジ孔にねじ込まれて、前記一対の帯状部材の重合部を締結させるネジ部材とから構成されていることが好適なものとなる。
また、前記の重合幅変更手段は、別体に形成されている前記一対の帯状部材のうち、いずれか一方の帯状部材側に幅方向に所定の間隔おいて設けられる複数ヶ所のネジ孔と、この複数ヶ所のネジ孔のうち、幅方向のいずれか１ヶ所のネジ孔に対し、他方の帯状部材側に設けられているネジ挿通孔からねじ込み締結される止めネジとから構成されていることが好適なものとなる。
【００１０】
このような構成によれば、石膏ボードなどの被切断材を、側縁に沿わせた切断幅にて切り割り切断（引き離し切断）するときに、一対の帯状部材のうち、一方の帯状部材の材料縁当接部を被切断材の切断方向の側縁に当てるように定規本体をセットする。このとき、一方の帯状部材を被切断材と略面一とし、この状態で、他方の帯状部材のベース縁当接部に電動マルノコのベース縁を当てる。
これにより、被切断材の側縁から所定の切断幅にて被切断材の内側に電動マルノコのノコ刃を位置させることができる。そして、定規本体を電動マルノコの切断方向への移動に平行させて切断方向へ移動させることで、電動マルノコを被切断材の側縁に沿わせて平行に切断方向へ案内することができる。
また、他方の帯状部材の材料縁当接部を被切断材の切断方向の側縁に当てるように定規本体をセットし、一方の帯状部材のベース縁当接部に電動マルノコのベース縁を当てることで、前記の切断幅に変えた他の切断幅にて電動マルノコを被切断材の側縁に沿わせて平行に切断方向へ案内することができる。
【００１１】
また、一対の帯状部材の重合部に備えられている重合幅変更手段によって、一対の帯状部材の重合範囲を可変させることができる。例えば、一方の帯状部材側に幅方向に長い長孔を備え、この長孔側から他方の帯状部材に設けられているネジ孔にネジ部材をネジ込んで重合部を締結させる構成を採用することで、一対の帯状部材の幅方向一側の重合部を、長孔の開口範囲内で幅方向に可変させることができる。
これにより、頻繁に使用する２種類の切断幅に加えて、その他の切断幅へ即座の対応が可能となり、また、電動マルノコの製造メーカによって異なるベースの長辺一側縁からのベースから突出するノコ刃の突出位置まで寸法に応じて、一対の帯状部材のベース縁当接部と材料縁当接部との間隔（離間寸法）に任意に調整することができる。
【考案の効果】
【００１２】
本考案の電動マルノコ用定規は、以上のように構成されていることで、電動マルノコのベースに対する脱着が不要で、石膏ボードなどの被切断材を高さ方向に引き割り切断するときに、この引き割り切断において少なくとも使用頻度が高い２種類の切断幅に即座に対応させることができることができる。
しかも、ベースに対する脱着が不要であるが故に、引き割り切断と石膏ボードなどの被切断材を幅方向に切断する定規不要の通常の切断とを交互に行う切断に対して即座に対応させることができる。
【００１３】
また、電動マルノコの製造メーカによって異なるベースの長辺一側縁からのベースから突出するノコ刃の突出位置まで寸法に応じて、一対の帯状部材のベース縁当接部と材料縁当接部との間隔（離間寸法）に任意に調整することで、各製造メーカの電動マルノコに即座に対応させることができる。つまり、製造メーカ問わずに、各電動マルノコに即座に対応させて石膏ボードなどの被切断材を側縁に沿わせて平行に切断する引き割り切断を即座に遂行させることができる。
【考案を実施するための最良の形態】
【００１４】
以下、本考案の実施形態に係る電動マルノコ用定規について、適宜図面を参照しながら詳細に説明する。
電動マルノコＢは、後記の図３に示すように、石膏ボードなどの被切断材Ｗの切断方向（矢印Ｘ方向）に長い略矩形形状で、被切断材の表面を摺接可能な平板状を呈しているベースｂ−１を備え、このベースｂ−１の上に図示省略の電動モータを収容するケーシングｂ−２、電動モータの作動ＯＮ／ＯＦＦ切換えスイッチを備える把持部ｂ−３などが取り付けられて構成されている。電動モータの出力軸に取り付けられるノコ刃ｂは、ベースｂ−１の両長辺縁と平行とし、ベースｂ−１の下面から一部が突出している。ノコ刃ｂのベースｂ−１からの突出量（切込み深さ）は調節できるようになっている。
【００１５】
≪第１の実施形態に係る定規の構成≫
図１は、第１の実施形態に係る本考案の電動マルノコ用定規を示す斜視図であり、図２は、同定規を拡大して示す縦断正面図である。
定規本体Ａは、図１および図２に示すように、一対の帯状部材１，２を互いに幅方向にずらした状態でその幅方向一側の縁部側同士を重合させた形状としている。
【００１６】
一対の帯状部材１，２は、合成樹脂材や金属材などの所望な材料を用いて被切断材Ｗの切断方向Ｚ（後記の図３参照）に長く、所定の幅と厚さを有する帯板形状にて、図２に示すように、一体に形成されている。
本実施形態では、一対の帯状部材１，２のそれぞれの長さＬ３が、電動マルノコＢのベースｂ−１の長辺方向の長さと同じか、それよりも長い２４０ｍｍ程度で、それぞれの厚さｔ１，ｔ２が、石膏ボードなどの被切断材の厚さよりも薄い略９ｍｍ程度に形成されている。そして、一対の帯状部材１，２のうち、一方（図１および図２において上側）の帯状部材１の幅Ｌ４が、６２ｍｍ程度で、他方の帯状部材２の幅Ｌ５が、７１ｍｍ程度にそれぞれ形成されている。
【００１７】
そして、このような長さＬ３、厚さｔ１，ｔ２、幅Ｌ４，Ｌ５の各寸法からなる一対の帯状部材１，２は、一体に形成されている。つまり、図２に示すように、互いに幅方向に所定の寸法にてずれた重合形状で一体に形成されるとともに、図２および後記の図３に示すように、幅方向一側（内側）におけるそれぞれの縁部を、被切断材Ｗを切断するときに、電動マルノコＢのベース縁３がそれぞれ当てられるベース縁当接部４，５とし、幅方向他側(外側)のそれぞれの縁部を、被切断材Ｗの側縁６にそれぞれ摺接動自在に当てられる材料側縁当接部７，８としている。
これにより、図２に示すように、一対の帯状部材１，２の一体化重合範囲Ｌ６を３０ｍｍとすることで、帯状部材１側のベース縁当接部４から帯状部材２側の材料側縁当接部８までのずれ寸法Ｌ７を４１ｍｍに、そして、帯状部材２側のベース縁当接部５から帯状部材２側の材料側縁当接部７までのずれ寸法Ｌ８を２９ｍｍに設定することができる。
つまり、図４に示す間取り説明図において、幅が９１０ｍｍの石膏ボードなどの被切断材Ｗの側縁（長辺側縁）６に沿わせた切り割り切断を必要とするコーナー２ヶ所のうち、１０５ｍｍ角の柱Ｃが立てられているコーナーでは、定規本体Ａのずれ寸法Ｌ７側を使用することによって被切断材Ｗドを側縁６から５３ｍｍの切断幅Ｌ１で切り割り切断することができ、そして、１２０ｍｍ角の柱Ｄが立てられているコーナーでは、定規本体Ａのずれ寸法Ｌ８側を使用することによって被切断材Ｗを側縁６から６５ｍｍの切断幅Ｌ２で切り割り切断することができるように、ずれ寸法Ｌ７，Ｌ８をそれぞれ設定している。
【００１８】
つぎに、このように構成されている第１の実施形態に係る電動マルノコ用定規の使い方について簡単に説明する。
図３は、数十枚に積み重ねられている石膏ボードなどの被切断部材を引き割り切断するときの使用状態を示す正面図および平面図であり、図４は、内装工事において、石膏ボードを構造壁部の内側に取り付けるときの一例を示す間取り説明図である。
ここでは、ベース縁３からノコ刃ｂが突出する突出位置までの寸法が９４ｍｍに設定されている電動マルノコＢを用いて、幅が９１０ｍｍで、高さ（長さ）が１８２０ｍｍの石膏ボードなどの被切断材Ｗの幅を、９１０ｍｍから８５７ｍｍに、そして９１０ｍｍから８４５ｍｍにそれぞれ切り割り切断するときの一例を挙げて説明する。
【００１９】
まず、被切断材Ｗの幅を、９１０ｍｍから８５７ｍｍに切り割り切断するときには、石膏被切断材Ｗの側縁６から切断幅Ｌ１が５３ｍｍとなるため、定規本体Ａのベース縁当接部４，５と材料側縁当接部７，８とのずれ寸法が４１ｍｍ側を選択する。
つまり、この場合、図３に示すように、帯状部材２側の材料側縁当接部８を切り割り切断する被切断材Ｗの側縁６に当てて定規本体Ａをセットし、この状態で、電動マルノコＢのベース縁を帯状部材１側のベース縁当接部４に当てて電動マルノコＢとともに定規本体Ａを切断方向（図３の矢印Ｘ方向）に移動させることで、電動マルノコＢを被切断材Ｗの側縁６に沿わせて９１０ｍｍ幅の被切断材Ｗを８５７ｍｍ幅に切り割り切断することができる。
【００２０】
そして、被切断材Ｗの幅を、９１０ｍｍから８４５ｍｍに切り割り切断するときには、被切断部材Ｗの側縁６から切断幅Ｌ２が６５ｍｍとなるため、定規本体Ａのベース縁当接部４，５と材料側縁当接部７，８とのずれ寸法が２９ｍｍを選択する。
つまり、図３の（ａ）に示す定規本体Ａのセット状態から定規本体Ａを１８０°反転させて、帯状部材１側の材料側縁当接部７を被切断材Ｗの側縁６に当て、電動マルノコＢのベース縁を帯状部材２側のベース縁当接部５に当てることによって、９１０ｍｍ幅の被切断材Ｗを８４５ｍｍ幅に切り割り切断することができる。
【００２１】
≪第２の実施形態に係る定規の構成≫
図５は、第２の実施形態に係る本考案の電動マルノコ用定規を示す斜視図であり、図６は、同定規を拡大して示す縦断正面図である。
この第２の実施形態では、一対の帯状部材１，２を、幅方向に所定の寸法にてずらした状態で、なおかつ、幅方向にスライド可能（摺接動可能）に重合させて、その重合部ａの重合範囲Ｌ６を幅方向に可変するための重合幅可変手段９を備えた構成を採用している。これ以外の構成要素は、前記の第１の実施形態と基本的に同じことから、同じ構成要素に同じ符号を付することで重複説明を省略する。
【００２２】
すなわち、定規本体Ａは、図５および図６に示すように、一対の帯状部材１，２を別体に形成するとともに、互いに幅方向に所定の寸法にてずれた重合形状としている。つまり、前記の第１の実施形態詳述の長さＬ３、厚さｔ１，ｔ２、幅Ｌ４，Ｌ５の各寸法からなる一対の帯状部材１，２を別体に形成するとともに、一対の帯状部材１，２の重合部ａにおいて、帯状部材１，２の長さ方向の要所の２ヶ所に重合幅可変手段９をそれぞれ備えている。
この重合幅可変手段９は、一対の帯状部材１，２のうち、帯状部材１側（図５および図６において上側）に設けられる幅方向に長い長孔９ａと、この長孔９ａ側から挿通されて帯状部２材側に設けられているネジ孔１０にねじ込まれて、一対の帯状部材１，２の重合部ａを締結させるネジ部材９ｂとを備えて構成されている。
【００２３】
長孔９ａは、その開口長さは特に限定されるものではない。
例えば、図６に示すように、帯状部材２側にねじ込み装着されているネジ部材９ｂに開口一端側が受け止められるまで帯状部材１を、矢印Ｘ方向にスライドさせて重合部ａの重合範囲Ｌ６を幅方向にずらしたときに、前記の第１の実施形態において詳述したように、帯状部材１側のベース縁当接部４から帯状部材２側の材料側縁当接部８までのずれ寸法Ｌ７が４１ｍｍに、そして、帯状部材２側のベース縁当接部５から帯状部材２側の材料側縁当接部７までのずれ寸法Ｌ８が２９ｍｍになるように、また、二点鎖線で示すように、帯状部材１を、矢印Ｙ方向にスライドさせて重合部ａの重合範囲Ｌ６を幅方向にずらしたときには、ずれ寸法Ｌ７側が３４ｍｍ程度のずれ寸法Ｌ７−１で、ずれ寸法Ｌ８側が２２ｍｍ程度のズレ寸法Ｌ８−１に可変（変更）することができる開口長さにて長孔９ａを帯状部材１側に形成することができる。
【００２４】
そして、長孔９ａは、開口部（帯状部材１の表面）にその開口周縁に沿って大きめに開口させた開口段部１１を備えている。これにより、図６に示すように、ネジ部材９ｂの頭部１２が帯状部材１の表面と面一の状態で開口段部１１内に収まるようにしている。
なお、図示を省略しているが、開口段部１１に変えて、長孔９ａの開口一端側と他端側にネジ部材９ｂの頭部１２が収まる開口凹みを備えた構成とすることができる。つまり、ネジ部材９ｂの頭部１２の外径と同じ程度の内径を有する開口凹みを、長孔９ａの開口一端側と他端側にそれぞれ備えることができる。
【００２５】
ネジ部材９ｂは、帯状部材２側の重合部ａに設けられるネジ孔１０にねじ込まれることで、帯状部材１を帯状部材２に締結するものであり、図５に示すように、六角レンチなどによって形成されている。
【００２６】
このように構成されている第２の実施形態に係る電動マルノコ用定規によれば、定規本体Ａ−１を構成する一対の帯状部材１，２の重合部ａが、長孔９ａとネジ部材９ｂによって幅方向にスライド自在で、締結可能（着脱可能）に構成されていることで、帯状部材１側のベース縁当接部４から帯状部材２側の材料側縁当接部８までのずれ寸法Ｌ７と帯状部材２側のベース縁当接部５から帯状部材２側の材料側縁当接部７までのずれ寸法Ｌ８を、切断幅Ｌｌ，Ｌ２に対応させた以外の他の切断幅に対応させたそれぞれのずれ寸法Ｌ７−１，Ｌ８−１に任意に可変（変更）することができる。
これにより、内装工事などにおいて、石膏ボードなどの被切断材Ｗを側縁６に沿わせて切り割り切断するときに使用される電動マルノコ用定規としての汎用性が向上するなどの効果を期待することができる。
【００２７】
なお、本考案の実施形態の具体的な構成は、前記した各実施形態に限られるものではなく、請求項１から請求項４に記載の本考案の要旨を逸脱しない範囲で設計変更などがあっても本考案に含まれるものである。
例えば、一対の帯状部材１，２のそれぞれの両側短辺縁側に、ゴム材や合成樹脂材などからなる緩衝部材を貼り付けるなどによって備えることができる。
【００２８】
また、一対の帯状部材１，２の重合する幅方向一側の重合部ａの重合範囲Ｌ６を幅方向に可変するための重合幅変更手段９を、一対の帯状部材１，２のうち、帯状部材２側の幅方向に所定の間隔おいて設けられる複数ヶ所のネジ孔と、この複数ヶ所のネジ孔のうち、幅方向のいずれか１ヶ所のネジ孔に対し、帯状部材１側に設けられているネジ挿通孔からねじ込み締結されるネジ部材とから構成することができる。
これにより、帯状部材２側のいずれかのネジ孔に対するネジ部材のねじ込み締結位置を変えることによって、重合部ａの重合範囲Ｌ６の可変、つまり、前記の第２の実施形態において詳述したように、４１ｍｍのズレ寸法Ｌ７を、２９ｍｍのズレ寸法Ｌ７−１に、そして、２９のズレ寸法Ｌ８を、２２ｍｍのズレ寸法Ｌ８−１に可変（変更）することができる。
【００２９】
また、一対の帯状部材１，２のそれぞれのベース縁当接部４，５に、電動マルノコＢのベース部ｂ−１の長辺方向に相当する長さで、ベース縁３が引っ掛かるように嵌り込まれる程度の深さを有する凹みなどをそれぞれ備えることができる。この場合、ズレ寸法Ｌ７，Ｌ７−１、そしてＬ８，Ｌ８−１は、凹み底からのズレ寸法にそれぞれ設定される。
これにより、被切断材Ｗを切り割り切断するときに、凹みにベース縁３を嵌め合わすことによって、被切断材Ｗの切断方向Ｚへ電動マルノコＢとともに定規本体Ａ，Ａ−１を係合関係にて移動させることができる。
【図面の簡単な説明】
【００３０】
【図１】第１の実施形態に係る本考案の電動マルノコ用定規を示す斜視図である。
【図２】同定規を拡大して示す縦断正面図である。
【図３】同定規を被切断材の側縁に当てて電動マルノコにより被切断材を切断するときの使用状態を示し、（ａ）は、正面図であり、（ｂ）は、平面図である。
【図４】内装工事において、石膏ボードを構造壁部の内側に取り付けるときの一例を示す間取り説明図である。
【図５】第２の実施形態に係る本考案の電動マルノコ用定規を示す斜視図である。
【図６】同定規を拡大して示す縦断正面図である。
【符号の説明】
【００３１】
Ａ，Ａ−１  定規本体
１，２  帯状部材
３      ベース縁
４，５  ベース縁当接部
６      被切断材の側縁
７，８  材料側縁当接部
Ｂ      電動マルノコ
ｂ      ノコ刃
ｂ−１  ベース
Ｗ      被切断材（石膏ボードなど）
【図１】
0003148856.tif 000003
【図２】
0003148856.tif 000004
【図３】
0003148856.tif 000005
【図４】
0003148856.tif 000006
【図５】
0003148856.tif 000007
【図６】
0003148856.tif 000008